(57)【要約】      （修正有）【課題】連結具でのリンクの屈曲状態に関わらず、安定的に袋の開口端側を係止して支持させることが可能な袋支持フレームを提供する。【解決手段】一対のリンク７，８の中途部同士を回動可能にＸ状に連結してなる少なくとも３つの可動フレーム３Ａ，３Ｂを備えそれらの可動フレームを、順次隣接させて平面視環状に配置し、隣接する各組の可動フレームにおけるリンク７，８同士の上下の端部を、連結具４，６によって屈曲作動可能に連結し、リンク７，８の少なくとも一方に、連結具より上方に突出する袋係止用の係止部１２を設ける。【選択図】図１
0003185630.tif 000002
【実用新案登録請求の範囲】
【請求項１】
一対のリンク（７，８）の中途部同士を回動可能にＸ状に連結してなる少なくとも３つの可動フレーム（３Ａ，３Ｂ）を備え、該可動フレーム（３Ａ，３Ｂ）を、順次隣接させて平面視環状に配置し、隣接する各組の可動フレーム（３Ａ，３Ｂ）におけるリンク（７，８）同士の上下の端部を、連結具（４，６）によって屈曲作動可能に連結し、複数の可動フレーム（３Ａ，３Ｂ）を、中途部がＸ状に連結された各組のリンク（７，８）同士を開閉回動させることにより、全体がボックス枠状をなす展開状態と、全体が収束された折畳状態とに切換可能な構造とし、展開状態時に可動フレーム（３Ａ，３Ｂ）の上端側に袋（２）の開口端（２ａ）側を係止して支持させる袋支持フレームであって、隣接して連結具（４，６）により連結されるリンク（７，８）の少なくとも一方に、該連結具（４，６）より上方に突出する袋（２）係止用の係止部（１２）を設けた袋支持フレーム。
【請求項２】
前記係止部（１２）がリンク（７）に一体成形されてなる請求項１に記載の袋支持フレーム。
【請求項３】
前記係止部（１２）を上記展開状態時に真上側に向けることが可能なように、該係止部（１２）をリンク（７）の他の部分に対して曲げ形成した請求項２に記載の袋支持フレーム。
【請求項４】
前記係止部（１２）の少なくとも上端部には、把持部（１２ａ）が形成された請求項１乃至３の何れかに記載の袋支持フレーム。
【請求項５】
前記連結具（４，６）は、連結する一方のリンク（７）を、第１回動軸（１３Ａ，１６Ａ）の軸回りに回転自在に軸支するとともに、他方のリンク（８）を、第１回動軸（１３Ａ，１６Ａ）とは異なる第２回動軸（１３Ｂ，１６Ｂ）の軸回りに回転自在に軸支する構造とした請求項１乃至４の何れかに記載の袋支持フレーム。
【請求項６】
リンク（７，８）の下端部同士を連結する前記連結具（６）は、可動フレーム（３Ａ，３Ｂ）が設置される設置面（Ｇ）に沿い且つ該設置面（Ｇ）に接地される水平板状のプレート部（１８）を有する請求項１乃至５の何れかに記載の袋支持フレーム。
【請求項７】
可動フレーム（３Ａ）を構成する一対のリンク（７，７）の両方に係止部（１２）を設け、折畳状態時に該一対のリンク（７，７）の係止部（１２，１２）同士が接当して折畳状態を保持させる請求項１乃至６の何れかに記載の袋支持フレーム。
【考案の詳細な説明】
【技術分野】
【０００１】
この考案は、袋の開口端側を支持する袋支持フレームに関する。
【背景技術】
【０００２】
一対のリンクの中途部同士を回動可能にＸ状に連結してなる少なくとも３つの可動フレームを備え、該可動フレームを、順次隣接させて平面視環状に配置し、隣接する各組の可動フレームにおけるリンク同士の上下の端部を、連結具によって屈曲作動可能に連結し、複数の可動フレームを、中途部がＸ状に連結された各組のリンク同士を開閉回動させることにより、全体がボックス枠状をなす展開状態と、全体が収束された折畳状態とに切換可能な構造とし、展開状態時に可動フレームの上端側に袋の開口端側を係止して支持させる袋支持フレームが公知になっている（例えば、特許文献１参照）。
【先行技術文献】
【特許文献】
【０００３】
【特許文献１】特開平９−１１０１０２号公報
【考案の概要】
【考案が解決しようとする課題】
【０００４】
上記文献の袋支持フレームは、展開状態と折畳状態とに切換可能であるため、利便性が高い一方で、袋の開口端を、展開状態時における可動フレームの上端側に位置する連結具に係止させる必要があるが、連結具でのリンクの屈曲状態によっては、袋を係止させ難い場合がある。
【０００５】
本考案は、袋の開口端側を支持する袋支持フレームにおいて、連結具でのリンクの屈曲状態に関わらず、安定的に袋の開口端側を係止して支持させることが可能な袋支持フレームを提供することを課題とする。
【課題を解決するための手段】
【０００６】
上記課題を解決するため、第１に、一対のリンク７，８の中途部同士を回動可能にＸ状に連結してなる少なくとも３つの可動フレーム３Ａ，３Ｂを備え、該可動フレーム３Ａ，３Ｂを、順次隣接させて平面視環状に配置し、隣接する各組の可動フレーム３Ａ，３Ｂにおけるリンク７，８同士の上下の端部を、連結具４，６によって屈曲作動可能に連結し、複数の可動フレーム３Ａ，３Ｂを、中途部がＸ状に連結された各組のリンク７，８同士を開閉回動させることにより、全体がボックス枠状をなす展開状態と、全体が収束された折畳状態とに切換可能な構造とし、展開状態時に可動フレーム３Ａ，３Ｂの上端側に袋２の開口端２ａ側を係止して支持させる袋支持フレームであって、隣接して連結具４，６により連結されるリンク７，８の少なくとも一方に、該連結具４，６より上方に突出する袋２係止用の係止部１２を設けたことを特徴としている。
【０００７】
第２に、前記係止部１２がリンク７に一体成形されてなることを特徴としている。
【０００８】
第３に、前記係止部１２を上記展開状態時に真上側に向けることが可能なように、該係止部１２をリンク７の他の部分に対して曲げ形成したことを特徴としている。
【０００９】
第４に、前記係止部１２の少なくとも上端部には、把持部１２ａが形成されたことを特徴としている。
【００１０】
第５に、前記連結具４，６は、連結する一方のリンク７を、第１回動軸１３Ａ，１６Ａの軸回りに回転自在に軸支するとともに、他方のリンク８を、第１回動軸１３Ａ，１６Ａとは異なる第２回動軸１３Ｂ，１６Ｂの軸回りに回転自在に軸支する構造としたことを特徴としている。
【００１１】
第６に、リンク７，８の下端部同士を連結する前記連結具６は、可動フレーム３Ａ，３Ｂが設置される設置面Ｇに沿い且つ該設置面Ｇに接地される水平板状のプレート部１８を有することを特徴としている。
【００１２】
第７に、可動フレーム３Ａを構成する一対のリンク７，７の両方に係止部１２を設け、折畳状態時に該一対のリンク７，７の係止部１２，１２同士が接当して折畳状態を保持させることを特徴としている。
【考案の効果】
【００１３】
隣接して連結具により連結されるリンクの少なくとも一方に、該連結具より上方に突出する袋係止用の係止部を設けため、連結具でのリンクの屈曲状態に関わらず、安定的に袋の開口端側を係止して支持させることができる。
【００１４】
前記係止部がリンクに一体成形されてなるものによれば、係止部を別部材で用意する必要がないため、部品点数が減少して構成が簡略化される。
【００１５】
前記係止部を上記展開状態時に真上側に向けることが可能なように、該係止部をリンクの他の部分に対して曲げ形成したものによれば、真上側に向いた係止部によって、より簡易に袋の開口端側を係止させることが可能になる。
【００１６】
前記係止部の少なくとも上端部には、把持部が形成されたものによれば、係止部が把持部も兼用するため、部品点数が減少して構成が簡略化される。
【００１７】
前記連結具は、連結する一方のリンクを、第１回動軸の軸回りに回転自在に軸支するとともに、他方のリンクを、第１回動軸とは異なる第２回動軸の軸回りに回転自在に軸支する構造としたものによれば、２つの回転軸によって、リンクを所望の状態で安定的に作動させることが可能になる。
【００１８】
リンクの下端部同士を連結する前記連結具は、可動フレームが設置される設置面に沿い且つ該設置面に接地される水平板状のプレート部を有するものによれば、プレート部によって、全体を安定的に自立させることが可能になる。
【００１９】
可動フレームを構成する一対のリンクの両方に係止部を設け、折畳状態時に該一対のリンクの係止部同士が接当して折畳状態を保持させるものによれば、係止部が折畳状態で安定的に保持させる部材としても兼用されるため、部品点数が減少して構成が簡略化される。
【図面の簡単な説明】
【００２０】
【図１】本考案を適用した袋支持フレームの斜視図である。
【図２】（Ａ）は上側の連結具の構成を示す斜視図であり、（Ｂ）は下側の連結具の構成を示す斜視図である。
【図３】折畳状態の袋支持フレームの斜視図である。
【図４】袋を係止した状態の袋支持フレームの要部斜視図である。
【図５】（Ａ），（Ｂ）は、上部連結具の他の実施例を示す上側斜視図及び下側斜視図である。
【図６】下部連結具の他の実施例を示す斜視図である。
【考案を実施するための形態】
【００２１】
図１は本考案を適用した袋支持フレームの斜視図であり、図２（Ａ）は上側の連結具の構成を示す斜視図であり、（Ｂ）は、下側の連結具の構成を示す斜視図であり、図３は折畳状態の袋支持フレームの斜視図であり、図４は袋を係止した状態の袋支持フレームの要部斜視図である。これらの図面に示す折畳フレームの一種である袋支持フレーム１は、フレキシブルに変形するゴミ袋等の袋２の開口端２ａ側を、開いた状態で、係止して係止する。
【００２２】
この袋支持フレーム１は、３つ以上（図示する例では４つ）の可動フレーム３Ａ，３Ｂと、この可動フレーム３Ａ，３Ｂ同士を連結する複数の連結具４，６を備えている。
【００２３】
上記複数の可動フレーム３Ａ，３Ｂは、順次隣接された状態で平面視で環状に配置されている。各可動フレーム３Ａ，３Ｂは一対のリンク７，７，８，８によって構成され、各リンク７，７，８，８は金属製の丸パイプ等の杆状部材から構成されている。該一対のリンク７，７，８，８の中途部同士は、該２つのリンク７，７，８，８に直交状態で挿通される連結軸９，１１によって、互いに回動自在にＸ字状に連結している。
【００２４】
各可動フレーム３Ａ，３Ｂは、上記構成によって、Ｘリンクとなる。該可動フレーム３Ａ，３Ｂは、上記一対のリンク７，７，８，８を、上部同士及び下部同士が互いに近づいて閉じる側（閉方向）に回動させることにより、この２つのリンク７，７，８，８が上下一直線状に縮小される縮小姿勢に切換えられる一方で、上記一対のリンク７，７，８，８を、上部同士及び下部同士が互いに離間して開く側（開方向）に回動させることにより、この２つのリンク７，７，８，８が水平方向にＸ状に伸長する伸長姿勢に切換えられる。
【００２５】
この可動フレーム３Ａ，３Ｂは、具体的には、４つ設けられ、対向する可動フレーム３Ａ，３Ｂが２組存在している。
【００２６】
具体的には、対向する一組の可動フレーム３Ａ，３Ａは、各リンク７の上端部がその他の部分に対して曲げ形成（具体的には、屈曲形成）されて係止部１２を構成する係止側可動フレームになる。対向するもう一組の可動フレーム３Ｂ，３Ｂは、各リンク８が全体に亘り一直線上に形成された非係止側可動フレームになる。
【００２７】
係止側可動フレーム３Ａを構成する一対のリンク（係止側リンク）７，７は、それぞれ係止部１２以外の部分であるリンク本体７ａの中間部に前記連結軸（係止側連結軸）９が配置され、この２つの係止側リンク７，７は、この係止側連結軸９を境に対称形状に成形されている。さらに、２つの係止側可動フレーム３Ａ，３Ａは、互いに同一形状に成形されている。
【００２８】
ちなみに、係止部１２は、係止側可動フレーム３Ａを伸長姿勢に切換えてリンク本体７ａを傾斜させた場合でも、該係止部１２を真上方向に向けることができる側に曲げ形成されている。この係止部１２の突出側端部には、合成樹脂性のスリーブ状のグリップ（把持部）１２ａが装着されている。
【００２９】
非係止側可動フレーム３Ｂを構成する一対のリンク（非係止側リンク）８，８は、それぞれ、係止側リンク７のリンク本体７ａと同一の全長を有し、その中間部に上述した連結軸（非係止側連結軸）１１が配設されている。このため、２つの非係止側リンク８，８は、互いに同一形状に成形され、その全長は、係止側リンク７よりも短く設定されている。
【００３０】
上記連結具４，６は、隣接する各組の可動フレーム３Ａ，３Ｂにおけるリンク７，８の上下の端部同士を回動自在に連結している。具体的には、隣接する可動フレーム３Ａ，３Ｂの一方が係止側可動フレーム３Ａになり、他方が非係止側可動フレーム３Ｂになるため、連結具４，６によって連結される２つのリンク７，８の一方が係止側リンク７になり、他方が非係止側リンク８になる。
【００３１】
この連結具４，６としては、上部連結具４（図２（Ａ）参照）及び下部連結具６（同図（Ｂ）参照）の２種類が用意される。
【００３２】
上部連結具４は、隣接する各組の係止側リンク７と非係止側リンク８とを上端部同士で連結する。具体的には、係止側リンク７におけるリンク本体７ａの上端側と、非係止側リンク８の上端側とを、この上部連結具４によって回動自在に連結し、この連結状態で、係止部１２が該上部連結具４から上方に突出した状態になる。
【００３３】
この上部連結具４には、連結対象となる２つのリンク７，８の一方である係止側リンク７を自身の軸回りに回動自在に軸支する係止側回動軸（第１回動軸）１３Ａと、上記２つのリンク７，８の他方である非係止側リンク８を自身の軸回りに回動自在に軸支する非係止側回動軸（第２回動軸）１３Ｂと、上記係止側回動軸１３Ａ及び非係止側回動軸１３Ｂが取付支持された連結フレーム１４とが設けられている。
【００３４】
連結フレーム１４は、方形板状の金属プレートの中途部を屈曲させることによりなるアングル状部材であり、連結フレーム１４のＬ字状の一片は、係止側回動軸１３Ａの軸方向に厚み方向が向けられ且つ該回動軸１３Ａが挿通支持される係止側支持部１４ａになるとともに、Ｌ字状の他片は、非係止側回動軸１３Ｂの軸方向に厚み方向が向けられ且つ該回動軸１３Ｂが挿通支持される非係止側支持部１４ｂになる。
【００３５】
係止側回動軸１３Ａは、係止側連結軸９と平行な姿勢で、連結フレーム１４の係止側支持部１４ａに取付支持され、且つ係止側リンク７の上端部に挿通された状態になる一方で、非係止側回動軸１３Ｂは、非係止側連結軸１１と平行な姿勢で、連結フレーム１４の非係止側支持部１４ｂに取付支持され、且つ非係止側リンク８の上端部に挿通された状態になる。
【００３６】
下部連結具６は、隣接する各組の係止側リンク７と非係止側リンク８とを下端部同士で互いに回動自在に連結する。
【００３７】
この下部連結具６には、連結対象となる２つのリンク７，８の一方である係止側リンク７を自身の軸回りに回動自在に軸支する係止側回動軸（第１回動軸）１６Ａと、上記２つのリンク７，８の他方である非係止側リンク８を自身の軸回りに回動自在に軸支する非係止側回動軸（第２回動軸）１６Ｂと、上記係止側回動軸１６Ａ及び非係止側回動軸１６Ｂが取付支持された連結フレーム１７と、該連結フレーム１７が上面側に溶着され且つ本袋支持フレーム１の設置面Ｇに載置される方形状の接地プレート（プレート部）１８とが設けられている。
【００３８】
連結フレーム１７は、方形板状の金属プレートの中途部を屈曲させることによりなるアングル状部材であり、連結フレーム１７のＬ字状の一片は、係止側回動軸１６Ａの軸方向に厚み方向が向けられ且つ該回動軸１６Ａが挿通支持される係止側支持部１７ａになるとともに、Ｌ字状の他片は、非係止側回動軸１６Ｂの軸方向に厚み方向が向けられ且つ該回動軸１６Ｂが挿通支持される非係止側支持部１７ｂになる。
【００３９】
係止側回動軸１７Ａは、係止側連結軸９と平行な姿勢で、連結フレーム１７の係止側支持部１７ａに取付支持され、且つ係止側リンク７の下端部に挿通された状態になる一方で、非係止側回動軸１７Ｂは、非係止側連結軸１１と平行な姿勢で、連結フレーム１７の非係止側支持部１７ｂに取付支持され、且つ非係止側リンク８の下端部に挿通された状態になる。
【００４０】
接地プレート１８は、平面視Ｌ字状をなした連結フレーム１７の下端側に溶接等によって固着され、各下部連結具６に設けられているため、袋支持フレーム１を設置面Ｇに設置した際には、複数の接地プレート１８が該接地面Ｇに面状に接触し、該袋支持フレーム１が安定的に立設される。
【００４１】
なお、対向する一対の係止側可動フレーム３Ａ，３Ａの係止側連結軸９，９同士は同一軸心上又は略同一軸心上に配置されるとともに、対向する非係止側可動フレーム３Ｂ，３Ｂの非係止側連結軸１１，１１同士も同一軸心上又は略同一軸心上に配置され、係止側連結軸９及び非係止側連結軸１１は互いに垂直な方向に向けられ、図示する例では、互いの延長線が直交している。
【００４２】
以上により、上部連結具４及び下部連結具６における係止側回動軸１３Ａ，１６Ａは、係止側連結軸９と平行又は略平行な方向に向けられ、同様に、上部連結具４及び下部連結具６における非係止側回動軸１３Ｂ，１６Ｂは、非係止側連結軸１１と平行又は略平行な方向に向けられている。
【００４３】
このため、各可動フレーム３Ａ，３Ｂを、縮小姿勢から伸長姿勢、或いは伸長姿勢から縮小姿勢に切換えると、Ｘ状に連結された一対のリンク７，７，８，８の中途部が、連結軸９，１１の軸回りに回動し、各係止側リンク７の上下の端部が上下の連結具４，６に対してそれぞれ係止側回動軸１３Ａ，１６Ａの軸回りに回動し、各非係止側リンク８の上下の端部が上下の連結具４，６に対してそれぞれ非係止側回動軸１３Ｂ，１６Ｂの軸回りに回動する。
【００４４】
さらに、各回動軸１３Ａ，１３Ｂ，１６Ａ，１６Ｂは、図示する例では、ボルト及びナットによって構成され、ボルトの軸心が回動軸１３Ａ，１３Ｂ，１６Ａ，１６Ｂの軸心になる。
【００４５】
そして、この袋支持フレーム１は、各リンク７，８の閉方向への回動によって各可動フレーム３Ａ，３Ｂを縮小姿勢に切換えることにより、全リンク７，８が平面視で中央側に集合（収束）して上下方向を向いた折畳状態（収束状態）になる一方で、各リンク７，８の開方向への回動によって各可動フレーム３Ａ，３Ｂを伸長姿勢に切換えることにより、平面視で環状配置された複数の可動フレーム３Ａ，３Ｂが中央側の空間を四方から囲繞する周壁となってボックス枠状をなす展開状態になる。
【００４６】
ちなみに、各係止部１２の上端部に形成されたグリップ１２ａを把持することによって、折畳状態から展開状態及び展開状態から折畳状態への切換作業を容易且つ迅速に行うことが可能になる。
【００４７】
図１に示す展開状態時、この袋支持フレーム１の係止部１２は、上方を向いた状態になる。複数の係止部１２は、平面視で、展開状態の袋支持フレーム１の隅側（具体的には四隅）に位置した状態になる。図４に示す通り、フレキシブルに変更可能な袋２を、展開状態の袋支持フレーム１の枠内に位置させ、その開口端２ａを、全周に亘り外側に折返して、各記係止部１２に係止させると、袋２の開口端２ａが上端側に位置した状態で、各可動フレーム３Ａ，３Ｂの上端側に支持され、この際に、袋２は、上方が開口した状態になり、ゴミ等を内部に入れ易くなる。
【００４８】
図３に示す折畳状態時、４つの接地プレート１８によって、この袋支持フレーム１は、自立させてことが可能であるとともに、各係止側可動フレーム３Ａの係止側リンク７の係止部１２同士は、互いに近づく側に傾斜した状態で接当又は近接し、これによって、それ以上の閉方向への回動が規制され、該袋支持フレーム１を、折畳状態で安定的に保持させる。ちなみに、接当する係止部１２，１２同士は、互いにクロスした状態で、接当又は近接し、連結具４，６によって連結されたリンク７，８は、最大限屈曲した状態になる。
【００４９】
以上のように構成される上記袋支持フレーム１によれば、上部連結具６から上方に突出する係止部１２によって、袋２の開口端２ａ側を安定的に係止して支持することが可能になり、さらに、係止部１２の突出側端部に形成されたグリップ１２ａを把持することにより、折畳状態から展開状態又は展開状態から折畳状態への切換を迅速且つスムーズに行うことができる他、屈曲した係止部１２，１２同士の接触又は近接によって、袋支持フレーム１を折畳状態で安定的に保持させることが可能になる。
【００５０】
なお、係止部１２は、係止側リンク７のリンク本体７ａと一体成形されているが、係止部１２を、リンク本体７ａとは別体で成形し、上部連結具６から上方突出するようにして、リンク本体７ａに装着固定してもよい。この他、袋２の開口端２ａを折返して係止させるのみではなく、紐や接着剤等を用いて、係止部１２に袋２を係止させてもよい。
【００５１】
また、上述した通り、係止側連結軸９の軸方向に対して垂直な方向に、非係止側連結軸１１の軸方向が設定され、係止側連結軸９と係止側回動軸１３Ａ，１６Ａとは平行になり、非係止側連結軸１１と非係止側回動軸１３Ｂ，１６Ｂとは平行になるが、互いの取付けガタにより、若干のズレが許容される。
【００５２】
次に、図５及び図６に基づいて、連結具４，６の他の実施例について、上述の例と異なる点を説明する。
【００５３】
図５（Ａ），（Ｂ）は、上部連結具の他の実施例を示す上側斜視図及び下側斜視図である。同図に示す上部連結具４は、合成樹脂によって、一体成形される。この上部連結具４は、フラットな板状の本体部１９と、本体部１９から下方に突出した閉断面視十字状の支持部２１とを一体で有している。
【００５４】
支持部２１の十字形状の一方は、厚み方向が係止側回動軸１３Ａの軸方向に向けられ且つ該係止側回動軸１３Ａが挿通支持される係止側支持部２１ａになり、十字形状の他方は、厚み方向が非係止側回動軸１３Ｂの軸方向に向けられ且つ該非係止側回動軸１３Ｂが挿通支持される非係止側支持部２１ｂになる。
【００５５】
また、本体部１９には、係止側リンク７の回動範囲を沿って切欠き状に形成されたガイド溝部１９ａが設けられ、このガイド溝部１９ａに係止側リンク７の中途部が挿通される。また、このガイド溝部１９ａ内には、係止側リンク７の開方向への最大回動位置を規制する規制面１９ｂが、凹曲面状に成形され、この規制面１９ｂに係止側リンク７の周面が面状に接当することにより、該係止側リンク７がそれ以上開方向に回動されることが禁止される。
【００５６】
図６は、下部連結具の他の実施例を示す斜視図である。同図に示す下部連結具６は、合成樹脂によって、上下方向にある程度の厚みを有する水平プレート状に一体成形されている。この下部連結具６には、係止側リンク７の下端部と、非係止側リンク８の下端部とを各別に収容する２つの凹部２２，２３がそれぞれ四方の内の２面を開放した状態で形成されている。
【００５７】
この２つの凹部２２，２３の一方は、周面の一部が係止側回動軸１６Ａの軸方向に垂直で且つ該係止側回動軸１６Ａが挿入支持される係止側支持面２２ａを有する係止側凹部２２になるとともに、他方は、周面の一部が非係止側回動軸１６Ｂの軸方向に垂直で且つ該係止側回動軸１６Ｂが挿入支持される非係止側支持面２３ａを有する係止側凹部２３になる。
【００５８】
合成樹脂により一体成形される前述の上部連結具４及び下部連結具６を用いることにより、製造が容易になり、コストも低減される。
【符号の説明】
【００５９】
１  袋支持フレーム（折畳フレーム）
２  袋（ゴミ袋）
２ａ  開口端
３Ａ  係止側可動フレーム（可動フレーム）
３Ｂ  非係止側可動フレーム（可動フレーム）
４  上部連結具（連結具）
６  下部連結具（連結具）
７  係止側リンク（リンク）
８  非係止側リンク（リンク）
１２  係止部
１２ａ  把持部
１３Ａ  係止側回動軸（第１回動軸）
１３Ｂ  非係止側回動軸（第２回動軸）
１６Ａ  係止側回動軸（第１回動軸）
１６Ｂ  非係止側回動軸（第２回動軸）
１８  接地プレート（プレート部）
Ｇ  設置面
【図１】
0003185630.tif 000003
【図２】
0003185630.tif 000004
【図３】
0003185630.tif 000005
【図４】
0003185630.tif 000006
【図５】
0003185630.tif 000007
【図６】
0003185630.tif 000008